(57)【要約】【課題】複数の柱部の傾斜連結部の端面と複数のころの外周面との接触を径方向へ変化させることによって、ころの外周面の油膜の破損を抑制して耐摩耗性、耐焼付性の向上を図ることができるスラストころ軸受の保持器を提供する。【解決手段】内・外径側の両環状部２１、２２と、これら両環状部２１、２２を連結し、かつころ１１を転動可能に保持する複数のポケット２３を区画形成する複数の柱部２４とを有して断面Ｍ形状をなす。複数の柱部２４は、径方向中間部２５と、径方向両側部２６と、これら径方向中間部２５及び径方向両側部２６を連結する傾斜連結部２７とを有する。複数の柱部２４の傾斜連結部２７の端面と複数のころ１１の外周面との各接触位置が径方向へ変化するように複数の柱部２４の傾斜連結部２７が径方向へ相互に位置ずれして形成されている。【選択図】図１
2010053887.tif 000002
【特許請求の範囲】
【請求項１】
内・外径側の両環状部と、これら両環状部を連結し、かつころを転動可能に保持する複数のポケットを区画形成する複数の柱部とを有して断面Ｍ形状をなすスラストころ軸受の保持器であって、
前記複数の柱部は、径方向中間部と、径方向両側部と、これら径方向中間部及び径方向両側部を連結する傾斜連結部とを有し、
前記複数の柱部の傾斜連結部の端面と前記複数のころの外周面との各接触位置が径方向へ変化するように前記複数の柱部の傾斜連結部が径方向へ相互に位置ずれして形成されていることを特徴とするスラストころ軸受の保持器。
【請求項２】
請求項１に記載のスラストころ軸受の保持器であって、
複数の柱部の傾斜連結部の端面と複数のころの外周面との各接触位置が径方向へ変化するように、内・外径側の両環状部の中心に対し前記複数の柱部の径方向中間部の中心が偏心して形成されていることを特徴とするスラストころ軸受の保持器。
【発明の詳細な説明】
【技術分野】
【０００１】
この発明はスラストころ軸受の保持器に関する。
【背景技術】
【０００２】
スラストころ軸受の保持器は、内・外径側の両環状部と、これら両環状部を連結しかつころを転動可能に保持するポケットを区画形成する柱部とを有して断面Ｍ形状をなす。そして、保持器の柱部は、径方向中間部と、径方向両側部と、これら径方向中間部及び径方向両側部を連結する傾斜連結部とを有している。
また、前記したような構造をもつスラストころ軸受の保持器は、例えば、特許文献１に開示されている。
【特許文献１】特開２０００−２１３５４６号公報
【発明の開示】
【発明が解決しようとする課題】
【０００３】
ところで、前記したような構造をもつ保持器においては、内・外径側の両環状部の中心に対し複数の柱部の径方向中間部の中心が同心に形成されている。これによって、複数の柱部の傾斜連結部の端面と複数のころの外周面との各接触位置が同じとなる。
このため、軸受回転時において、複数の柱部の傾斜連結部の端面と複数のころの外周面との接触による油膜の破損位置が径方向へ一定幅をもって周方向へ環状に発生しやすくなる。
これによって、軌道輪の軌道面においても、複数のころの外周面の油膜破損位置に対向する部分において径方向へ一定の幅をもって周方向へ環状をなして油膜が破損されやすくなる。
このようなことから、軸受回転時において、ころや軌道輪が摩耗されたり、焼き付きを発生させる恐れがある。
【０００４】
この発明の目的は、前記問題点に鑑み、複数の柱部の傾斜連結部の端面と複数のころの外周面との接触を径方向へ変化させることによって、ころの外周面の油膜の破損を抑制して耐摩耗性、耐焼付性の向上を図ることができるスラストころ軸受の保持器を提供することである。
【課題を解決するための手段】
【０００５】
前記目的を達成するために、この発明の請求項１に係るスラストころ軸受の保持器は、内・外径側の両環状部と、これら両環状部を連結し、かつころを転動可能に保持する複数のポケットを区画形成する複数の柱部とを有して断面Ｍ形状をなすスラストころ軸受の保持器であって、
前記複数の柱部は、径方向中間部と、径方向両側部と、これら径方向中間部及び径方向両側部を連結する傾斜連結部とを有し、
前記複数の柱部の傾斜連結部の端面と前記複数のころの外周面との各接触位置が径方向へ変化するように前記複数の柱部の傾斜連結部が径方向へ相互に位置ずれして形成されていることを特徴とする。
【０００６】
前記構成によると、軸受回転時において、複数の柱部の傾斜連結部の端面と複数のころの外周面との接触位置が径方向へ変化する分だけ複数のころの外周面の油膜の破損を抑制することができる。
すなわち、隣接する柱部の傾斜連結部の端面と、これに対応するころの外周面との接触位置が径方向へ変化することによって、仮に、一つのころの外周面の油膜が破損されたとしても、軌道輪の軌道面側の潤滑油によって、ころの外周面の破損された油膜が良好に修復される。
この結果、スラストころ軸受の耐摩耗性、耐焼き付き性の向上を良好に図ることができ耐久性に優れる。
【０００７】
請求項２に係るスラストころ軸受の保持器は、請求項１に記載のスラストころ軸受の保持器であって、
複数の柱部の傾斜連結部の端面と複数のころの外周面との各接触位置が径方向へ変化するように、内・外径側の両環状部の中心に対し前記複数の柱部の径方向中間部の中心が偏心して形成されていることを特徴とする。
【０００８】
前記構成によると、保持器を鋼板のプレス加工によって形成する際、内・外径側の両環状部の中心に対し複数の柱部の径方向中間部の中心を偏心させてプレス加工することによって、複数の柱部の傾斜連結部の端面と複数のころの外周面との各接触位置が径方向へ変化する保持器を容易に形成することができる。
【発明を実施するための最良の形態】
【０００９】
次に、この発明を実施するための最良の形態を実施例にしたがって説明する。
【実施例】
【００１０】
（実施例１）
この発明の実施例１を図面にしたがって説明する。
図１はこの発明の実施例１に係るスラストころ軸受の保持器を示す側断面図である。図２は保持器の平面図である。図３は図２のＩＩＩ−ＩＩＩ線に基づく側断面図である。図４は図２のＩＶ−ＩＶ線に基づく側断面図である。図５は図２にＶ−Ｖ線に基づく側断面図である。図６は図２のＶＩ−ＶＩ線に基づく側断面図である。
【００１１】
図１に示すように、スラストころ軸受（スラスト針状ころ軸受も含む）の保持器２０は、鋼板のプレス加工によって形成され、内径側環状部２１と、外径側環状部２２と、これら内・外径側の両環状部２１、２２の周方向に所定間隔を隔てて掛け渡されてポケット２３を区画形成する複数の柱部２４とを備えて断面略Ｍ字状をなしている。
図１と図２に示すように、保持器２０の柱部２４は、径方向中間部２５と、径方向両側部２６と、これら径方向中間部２５及び径方向両側部２６を連結する傾斜連結部２７とを有している。
さらに、各ポケット２３は隣接する柱部２４の間にプレスの打ち抜き加工によって形成され、これら各ポケット２３にはころ１１が転動可能に保持される。
また、ポケット２３内のころ１１を抜け止めするために、隣接する柱部２４の相対する面の径方向中間部２５及び径方向両側部２７の端面には、ポケット２３内に向けて対向状に突出する抜止爪２８、２９がそれぞれ突出されている。
【００１２】
図２〜図６に示すように、保持器２０の複数の柱部２４の傾斜連結部２７の端面と複数のころ１１の外周面との各接触位置が径方向へ変化するように、複数の柱部２４の傾斜連結部２７が径方向へ相互に位置ずれして形成されている。
【００１３】
この実施例１において、図２に示すように、保持器２０の内・外径側の両環状部２１、２２は同心上に形成され、これら内・外径側の両環状部２１、２２の中心Ｏ１に対し複数の柱部２４の径方向中間部２５の中心Ｏ２が偏心量αだけ偏心して形成されている。これによって、複数の柱部２４の傾斜連結部２７の端面と複数のころ１１の外周面との各接触位置が径方向へ変化するようになっている。
【００１４】
すなわち、保持器２０は、平板状の鋼板がプレス加工されることで、内・外径側の両環状部２１、２２と、これら両環状部２１、２２を連結しかつポケット２３が形成されない状態の柱部用環状体とを有して断面Ｍ形状をなす一次加工品（図示しない）が形成される。この一次加工品のプレス加工の際、内・外径側の両環状部２１、２２の中心Ｏ１に対し柱部用環状体の中心（複数の柱部２４の径方向中間部２５の中心Ｏ２に相当する）が偏心して形成される。
その後、打ち抜き加工（プレスの打ち抜き加工）によって、一次加工品の柱部用環状体に複数のポケット２３が、両環状部２１、２２の中心Ｏ１と同心に放射状に打ち抜かれることで、複数のポケット２３と複数の柱部２４とが周方向に交互に形成され、これによってこの実施例１に係る保持器２０が製作される。
【００１５】
この実施例１に係るスラストころ軸受の保持器は上述したように構成される。
したがって、軸受回転時において、複数の柱部２４の傾斜連結部２７の端面と複数のころ１１の外周面との接触位置が、内・外径側の両環状部２１、２２の中心Ｏ１と複数の柱部２４の径方向中間部２５の中心Ｏ２との偏心量αに相当する分だけ径方向へ変化する。これによって、複数のころ１１の外周面の油膜の破損を抑制することができる。
すなわち、隣接する柱部２４の傾斜連結部２７の端面と、これに対応する隣接するころ１１の外周面との接触位置が径方向へ変化することによって、仮に、一つのころ１１の外周面の油膜が破損されたとしても、軌道輪の軌道面側の潤滑油によって、ころ１１の外周面の破損された油膜が良好に修復される。
この結果、スラストころ軸受の耐摩耗性、耐焼き付き性の向上を良好に図ることができ耐久性に優れたものとなる。
【００１６】
また、この実施例１においては、保持器を鋼板のプレス加工によって形成する際、内・外径側の両環状部２１、２２の中心Ｏ１に対し複数の柱部２４の径方向中間部２５の中心Ｏ２が偏心量αだけ偏心させてプレス加工することによって、複数の柱部２４の傾斜連結部２７の端面と複数のころ１１の外周面との各接触位置が径方向へ変化する保持器を容易に形成（製作）することができる。
【００１７】
なお、この発明は前記実施例１に限定するものではなく、この発明の要旨を逸脱しない範囲内において、種々の形態で実施可能である。
【図面の簡単な説明】
【００１８】
【図１】この発明の実施例１に係るスラストころ軸受の保持器を示す側断面図である。
【図２】同じく保持器の平面図である。
【図３】同じく図２のＩＩＩ−ＩＩＩ線に基づく側断面図である。
【図４】同じく図２のＩＶ−ＩＶ線に基づく側断面図である。
【図５】同じく図２にＶ−Ｖ線に基づく側断面図である。
【図６】同じく図２のＶＩ−ＶＩ線に基づく側断面図である。
【符号の説明】
【００１９】
１１  ころ
２０  保持器
２１  内径側環状部
２２  外径側環状部
２３  ポケット
２４  柱部
２５  径方向中間部
２６  径方向両側部
２７  傾斜連結部
【図１】
2010053887.tif 000003
【図２】
2010053887.tif 000004
【図３】
2010053887.tif 000005
【図４】
2010053887.tif 000006
【図５】
2010053887.tif 000007
【図６】
2010053887.tif 000008